(57)【要約】【課題】通気性と強度を兼ね備えたプラスチック製の飼育ケージ用の蓋を提供する。【解決手段】本発明は、上記課題を解決するため、小動物を飼育する上面が開口した飼育用ケージの上部縁に嵌められるプラスチック製のディスポーザブルな蓋であって、平坦部と、前記平坦の外周に位置し前記平坦より上に凸で下に溝を備え前記飼育用ケージの上部縁に嵌められる外枠部と、前記外枠部の内側に位置し前記平坦部から上に凸に隆起し下にスペースを備えた補強部と、前記補強部に連設され前記外枠部から隆起して前記飼育用ケージの上部縁部との間に隙間を形成する通気部とからなり、前記補強部のスペースと前記通気部の隙間とが連通し前記飼育用ケージ内と外部を連絡する通気路を形成することを特徴とする飼育用ケージの蓋の構成とした。【選択図】図１
2015146790.tif 000002
【特許請求の範囲】
【請求項１】
小動物を飼育する上面が開口した飼育用ケージの上部縁に嵌められるプラスチック製のディスポーザブルな蓋であって、
平坦部と、前記平坦の外周に位置し前記平坦より上に凸で下に溝を備え前記飼育用ケージの上部縁に嵌められる外枠部と、前記外枠部の内側に位置し前記平坦部から上に凸に隆起し下にスペースを備えた補強部と、前記補強部に連設され前記外枠部から隆起して前記飼育用ケージの上部縁部との間に隙間を形成する通気部とからなり、
前記補強部のスペースと前記通気部の隙間とが連通し前記飼育用ケージ内と外部を連絡する通気路を形成することを特徴とする飼育用ケージの蓋。
【請求項２】
前記補強部が格子状で、前記通気部が前記外周の四方に位置することを特徴とする請求項１に記載の飼育用ケージの蓋。
【請求項３】
少なくとも、前記外枠部の対向する二辺に端部に回動可能に設けられ、前記飼育用ケージの上部縁の底部に折返し、係止される左右片を備えることを特徴とする請求項１又は請求項２に記載の飼育用ケージの蓋。
【請求項４】
前記平坦部に、小動物が飲用する水を溜める給水ボトルを係止するための穴を穿設し、その周りを前記ブレート部より隆起させたことを特徴とする請求項１〜請求項３の何れか１項に記載の飼育用ケージの蓋。
【請求項５】
前記平坦部に、線状の通気孔を穿設したことを特徴とする請求項１〜請求項４の何れか１項に記載の飼育用ケージの蓋。
【請求項６】
前記通気孔に、フィルターを貼付したことを特徴とする請求項５に記載の飼育用ケージの蓋。
【請求項７】
前記通気部内の通気路上に、第二フィルターを備えることを特徴とする請求項１〜請求項６の何れか１項に記載の飼育用ケージの蓋。
【請求項８】
小動物を飼育する上面が開口した飼育用ケージと、前記飼育用ケージの上部縁に嵌められる請求項１〜請求項７の何れか１項に記載の飼育用ケージの蓋と、からなることを特徴とする飼育装置。
【発明の詳細な説明】
【技術分野】
【０００１】
本発明は、研究用マウス等の小動物を運搬、飼育するための飼育用ケージ用の蓋に関する。
【背景技術】
【０００２】
動物飼育ケージとして特許文献１が公開されている。従来の飼育用ケージの蓋は、特許文献１の図１に開示されているように、小動物の動きによる破損を防ぎ、通気を確保するため、線状の金属棒を渡した金網１１が一般的あった。そのため、飼育用ケージの蓋を使用するごとに、洗浄・殺菌しなければならず、その作業は繁雑であった。特許文献２の使用状態を表す参考図の飼育箱１の蓋３も参考になる。
【０００３】
他方、通気性の確保と強度の問題から、ディスポーザブルなプラスチック製の飼育ケージ用の蓋は知られていない。ケージの開口部にプラスチック製の蓋を単に被せただけでは、小動物の呼吸に必要な酸素が欠乏してしまい、長期の運搬、飼育はできない。また、プラスチック製の蓋に、単に通気孔を設けると、ケージ内を動き回る小動物の衝撃、噛み動作等で破損してしまい、小動物がケージ内から逃げ出してしまうことになる。
【０００４】
研究用の小動物は、げっ歯類が一般で、鋭い歯を備え、至る所を噛む。即ち、単なるプラスチック製の蓋では、通気性確保と強度維持を共存させることが困難だったため、開発されていないものと思われる。
【先行技術文献】
【特許文献】
【０００５】
【特許文献１】特開２００３−１８９３２号公報
【特許文献２】意匠登録第１４０８６８３号
【発明の概要】
【発明が解決しようとする課題】
【０００６】
そこで、本発明は、通気性と強度を兼ね備えたプラスチック製の飼育ケージ用の蓋を提供することを目的とする。
【課題を解決するための手段】
【０００７】
本発明は、上記課題を解決するため、
（１）
小動物を飼育する上面が開口した飼育用ケージの上部縁に嵌められるプラスチック製のディスポーザブルな蓋であって、
平坦部と、前記平坦の外周に位置し前記平坦より上に凸で下に溝を備え前記飼育用ケージの上部縁に嵌められる外枠部と、前記外枠部の内側に位置し前記平坦部から上に凸に隆起し下にスペースを備えた補強部と、前記補強部に連設され前記外枠部から隆起して前記飼育用ケージの上部縁部との間に隙間を形成する通気部とからなり、前記補強部のスペースと前記通気部の隙間とが連通し前記飼育用ケージ内と外部を連絡する通気路を形成することを特徴とする飼育用ケージの蓋の構成とした。
（２）
前記補強部が格子状で、前記通気部が前記外周の四方に位置することを特徴とする（１）に記載の飼育用ケージの蓋の構成とした。
（３）
少なくとも、前記外枠部の対向する二辺に端部に回動可能に設けられ、前記飼育用ケージの上部縁の底部に折返し、係止される左右片を備えることを特徴とする（１）又は（２）に記載の飼育用ケージの蓋の構成とした。
（４）
前記平坦部に、小動物が飲用する水を溜める給水ボトルを係止するための穴を穿設し、その周りを前記ブレート部より隆起させたことを特徴とする（１）〜（３）の何れかに記載の飼育用ケージの蓋の構成とした。
（５）
前記平坦部に、線状の通気孔を穿設したことを特徴とする（１）〜（４）の何れかに記載の飼育用ケージの蓋の構成とした。
（６）
前記通気孔に、フィルターを貼付したことを特徴とする（５）に記載の飼育用ケージの蓋の構成とした。
（７）
前記通気部内の通気路上に、第二フィルターを備えることを特徴とする（１）〜（６）の何れかに記載の飼育用ケージの蓋の構成とした。
（８）
小動物を飼育する上面が開口した飼育用ケージと、前記飼育用ケージの上部縁に嵌められる（１）〜（７）の何れかに記載の飼育用ケージの蓋と、からなることを特徴とする飼育装置の構成とした。
【発明の効果】
【０００８】
本発明は、上記構成であるので、ディスポーザブルな使用ができ、蓋の繰り返し使用ごとに洗浄・殺菌作業を要しない。また、使い捨てであるため、衛生的であり、小動物、人間共に病原菌等の罹患のリスクを軽減することができる。
【０００９】
プラスチック製の飼育用ケージの蓋１に、補強部７を備えることで、運搬時の衝撃、小動物１０の衝突、破損行動に対し、プラスチック製の飼育用ケージの蓋１であっても、十分な強度を発現し、小動物の輸送、飼育を可能にする。
【００１０】
また、補強部７の底部のスペース７ｇと、通気部８の底部と飼育用ケージ２の上部縁２ａとの隙間２ｂによって通気路を形成することで、飼育用ケージ２の内部の酸素量を十分確保することができる。さらに、補強部７を格子状とし、通気部８を外枠部６に複数設けることで、飼育用ケージ２の内部の酸素量を一層安定的に確保することができる。
【図面の簡単な説明】
【００１１】
【図１】本発明である飼育用ケージの蓋の第一の実施形態の斜視図である。
【図２】本発明である飼育用ケージの蓋の第一の実施形態の正面図である。
【図３】本発明である飼育用ケージの蓋の第一の実施形態の側面図である。
【図４】本発明である飼育用ケージの蓋の第一の実施形態の平面図である。
【図５】本発明である飼育用ケージの蓋の第一の実施形態の底面図である。
【図６】本発明である飼育用ケージの蓋の第一の実施形態のＡ-Ａ‘断面図である。
【図７】本発明である飼育用ケージの蓋の第一の実施形態のＢ-Ｂ‘断面図である。
【図８】本発明である飼育用ケージの蓋の第一の実施形態の使用部分断面図である。
【図９】本発明である飼育用ケージの蓋の第一の実施形態の使用断面図（蓋Ａ-Ａ’位置）である。
【図１０】図９の円Ｃの拡大図である。
【図１１】本発明である飼育用ケージの蓋の第二の実施形態の平面図である。
【発明を実施するための形態】
【００１２】
以下、図面に基づき本発明について詳細に説明する。なお、本発明は下記実施例に限定されるものではない。
【実施例１】
【００１３】
図１〜図１０に示すように、本発明である飼育用ケージの蓋１は、平坦部５と、外枠部６と、補強部７と、通気部８とからなり、小動物１０を飼育する上面が開口した飼育用ケージ２の上部縁２ａに嵌められるプラスチック製のディスポーザブルな蓋である。なお、飼育用ケージ２と、飼育用ケージの蓋１とで、図８、９に示すように、飼育装置４を構成する。
【００１４】
飼育用ケージ２は、図５等に示すように、上部が開口し、内部に小動物１０を収納する空間を備えれば、形状、素材は特に限定されない。ディスポーザブルとする場合には、プラスチック製のケージが低コストで望ましい。プラスチック製の飼育用ケージ２としては、例えば、特許文献２の飼育容器２などが例示できる。
【００１５】
平坦部５には、必要に応じて、穴７ｃを穿設する。穴７ｃに、給水ボトル３が嵌着する。穴７ｃの側面７ｅは、凹部７ｆを設け、下端部方向が狭い環状で、本体３ａ上部の径よりやや小さい径で、給水ボトル３を嵌着させ、飼育装置４が転倒しても、給水ボトル３は脱落しない。
【００１６】
また、穴７ｃ周囲は、平坦部５より隆起させた環状補強部７ｄとする。このような穴７ｃであれば、小動物用の補給水を確保しつつ、平坦部５の強度を保つこともできる。
【００１７】
給水ボトル３は、本体３ａと、給水口３ｂと、キャップ３ｄからなり、小動物１０が飲用する水１１を溜める。
【００１８】
本体３ａは、穴７ｃに嵌着する。穴７ｃの側面７ｅは、嵌着する給水ボトル３の側面には、縦条３ｃが突設され、穴７ｃの凹部７ｆに嵌挿させることにより、本体３ａの回転を防止する。
【００１９】
給水口３ｂは、本体３ａの底部に設けられ、小動物１０が口で銜え又は噛む或いは押すことで本体３ａ内部の水１１が流れ落ちる構造である。例えば、本体３ａの内部に通じる穴に棒が揺動可能に嵌挿されており、動物が棒に接触し、棒が揺動することで、水１１が給水口３ｂから流れ落ちる。キャップ３ｄは、本体３ａの上部に嵌められる。小動物１０は、給水口３ｂから水を飲むことができる。
【００２０】
また、平坦部５には、必要に応じて線状の通気孔５ａが複数穿設されている。通気孔５ａが設けられることで、通気性を上げることができ、小動物１０が多頭の場合には、より多くの空気を確保できる。
【００２１】
外枠部６は、平坦部５の最外周に位置し平坦部５より上に凸で下に溝６ｃを備え、溝６ｃに飼育用ケージ２の上部縁２ａを嵌める。外枠部６の外側の側面には、内側に窪む凹部６ａが複数設けられる。凹部６ａは、図１０に示すように、飼育用ケージの蓋１を飼育用ケージ２に被せたとき、飼育用ケージ２の鍔２ｃの下に位置し、飼育用ケージの蓋１を飼育用ケージ２に係止させる。また、外枠部６の端部には、つば６ｂが略水平に突出し、外枠部６に強度を付与するとともに、飼育用ケージの蓋１の着脱時の取っ手となる。
【００２２】
また、外枠部６の左右辺には、対向して端部に回動可能に左右片１ａ、１ｂが設けられている。左右片１ａ、１ｂは、図１０に示すように、飼育用ケージの蓋１を飼育用ケージ２に嵌めた後、点線で示した左片１ａの位置から飼育用ケージ２の上部縁２ａの底部に折返され、係止される。
【００２３】
そのようにすることで、飼育用ケージの蓋１をより強固に飼育用ケージ２に嵌着させ、飼育用ケージ２から飼育用ケージの蓋１の脱落を防止する。凹部６ａの飼育用ケージ２の鍔２ｃによる係止だけでは飼育用ケージの蓋１の飼育用ケージへの嵌着が不十分なときに用いるとよい。
【００２４】
左片１ａ、右片１ｂを備えているため、小動物１０が動き回ったり、飼育装置４が転倒したりしても、簡単に飼育用ケージの蓋１が飼育用ケージ２から脱落せず、小動物１０が逃げ出すことがない。試験用小動物１０は、病気、細菌・ウィルスを保有しており、危険であるため、脱走等を防ぐ処置はきわめて重要である。
【００２５】
補強部７は、外枠部６の内側に位置し平坦部５から上に凸に隆起し下にスペース７ｇを備えている。ここでは、縦補強部７ａと横補強部７ｂからなる格子状で、通気部８が外枠部６の四方に位置する形状である。具体的には図１に示すように、縦補強部７ａが２本、横補強部７ｂは縦補強部７ａに直交するように２本形設されている。
【００２６】
通気部８は、補強部７に連設され外枠部６から隆起して飼育用ケージ２の上部縁２ａとの間に隙間２ｂを形成する。
【００２７】
このようにしてなる飼育用ケージの蓋１は、飼育用ケージ２に嵌められても、補強部７のスペース７ｇと通気部８の隙間２ｂとが連通し、飼育用ケージ２内と外部を連絡する通気路を形成する。
【実施例２】
【００２８】
図１１に示すように、本発明の第二の実施形態である飼育用ケージの蓋１ｃは、実施例１の飼育用ケージの蓋１と、フィルター９とからなる。
【００２９】
フィルター９は、ゴミ及び微生物を濾過して通さない膜であり、平坦部５に穿設された複数の線状の通気孔５ａを覆うように貼付される。貼付に際しては、接着剤、両面テープなどが例示できる。
【００３０】
ここでは、通気孔５ａは、２箇所の平坦部５に３本ずつ穿設されているが、それぞれの平坦部５に１枚のフィルター９を備える。フィルター９を備えることで、飼育用ケージ２の内部へゴミ、微生物の落下を阻止し、飼育用ケージ２内のそれらによる汚染を低減することができる。
【００３１】
加えて、通気部８内の通気路上に、ゴミ、微生物を濾過し遠さない第二フィルターを設けることで、一層、飼育用ケージ２の内部の汚染を低減させることができる。
【符号の説明】
【００３２】
１      飼育用ケージの蓋
１ａ    左片
１ｂ    右片
１ｃ    飼育用ケージの蓋
２      飼育用ケージ
２ａ    縁
２ｂ    隙間
２ｃ    鍔
３      給水ボトル
３ａ    本体
３ｂ    給水口
３ｃ    縦条
３ｄ    キャップ
４      飼育装置
５      平坦部
５ａ    通気孔
６      外枠部
６ａ    凹部
６ｂ    つば
６ｃ    溝
７      補強部
７ａ    縦補強部
７ｂ    横補強部
７ｃ    穴
７ｄ    環状補強部
７ｅ    側面
７ｆ    凹部
７ｇ    スペース
８      通気部
９      フィルター
１０    小動物
１１    水
【図１】
2015146790.tif 000003
【図２】
2015146790.tif 000004
【図３】
2015146790.tif 000005
【図４】
2015146790.tif 000006
【図５】
2015146790.tif 000007
【図６】
2015146790.tif 000008
【図７】
2015146790.tif 000009
【図８】
2015146790.tif 000010
【図９】
2015146790.tif 000011
【図１０】
2015146790.tif 000012
【図１１】
2015146790.tif 000013